【手続補正書】
【提出日】平成30年4月20日(2018.4.20)
【手続補正１】
【補正対象書類名】特許請求の範囲
【補正対象項目名】全文
【補正方法】変更
【補正の内容】
【特許請求の範囲】
【請求項１】
方法であって、
プロセッサによって、検査室自動化システムのための検査室自動化システム設計データを受信することと、
前記プロセッサによって、かつ前記検査室自動化システム設計データを使用して、システムブロックに関連付けられたサブグラフを貼り合わせて、前記検査室自動化システムのためのサイトネットワークを作成することと
を含み、
各サブグラフは、複数のサイトノード、エッジ、及び疑似ノードを備え、前記擬似ノードは、前記サブグラフの境界にあり、
前記サブグラフは、第１のサブグラフと第２のサブグラフとを備え、貼り合わせることは、前記第１及び第２のサブグラフ内の擬似ノードを識別し、貼り合わせられる前記サブグラフ内の前記識別された擬似ノードを合併させることを含み、
前記方法は、
前記プロセッサによって、前記検査室自動化システムのための前記サイトネットワークの動作をシミュレートすることと、
前記検査室自動化システムの前記動作が受け入れ可能でない場合、前記プロセッサによって、前記検査室自動化システムを却下することと、
前記検査室自動化システムの前記動作が受け入れ可能である場合、前記プロセッサによって、前記検査室自動化設計システムを受け入れることと
を更に含む、方法。
【請求項２】
複数のシステムブロックは各々、遠心分離機、アリコータ、入力ユニット、出力ユニット、分析器、記憶ユニット、デキャッパ、及びリキャッパのうちの少なくとも１つを備える、請求項１に記載の方法。
【請求項３】
前記エッジは、輸送経路に対応する、請求項１に記載の方法。
【請求項４】
前記プロセッサによって、受信後かつ貼り合わせ前に、前記検査室自動化システム設計データを含むマニフェストファイルを生成することを更に含む、請求項１に記載の方法。
【請求項５】
前記検査室自動化システム設計データは、前記システムブロック及び前記サブグラフの選択と、前記システムブロック及び前記サブグラフの相互に対する配置とに関するデータを含み、
任意に、前記検査室自動化システム設計データは、前記検査室自動化システムによって処理されている試料に対する所定のスループット及びターンアラウンドタイムに関するデータを含み、
さらに任意に、前記検査室自動化設計システムデータは、前記検査室自動化システムを収容する物理的構造物に関するデータを含む、請求項１に記載の方法。
【請求項６】
前記プロセッサによって、前記受け入れられた検査室自動化システムのための部品リストを生成することを更に含む、請求項１に記載の方法。
【請求項７】
グラフィカルユーザインターフェース上に前記サイトネットワーク及び前記システムブロックを表示することを更に含む、請求項１に記載の方法。
【請求項８】
コンピュータ装置であって、
１つ以上のプロセッサと、
前記１つ以上のプロセッサに連結されたコンピュータ読み取り可能な媒体と
を備え、
前記コンピュータ読み取り可能な媒体は、前記１つ以上のプロセッサに方法を実装させるためのコードを含み、前記方法は、
検査室自動化システムのための検査室自動化システム設計データを受信することと、
前記検査室自動化システム設計データを使用して、システムブロックに関連付けられたサブグラフを貼り合わせて、前記検査室自動化システムのためのサイトネットワークを作成することと
を含み、
各サブグラフは、複数のサイトノード、エッジ、及び疑似ノードを備え、前記擬似ノードは、前記サブグラフの境界にあり、
前記サブグラフは、第１のサブグラフと第２のサブグラフとを備え、貼り合わせることは、前記第１及び第２のサブグラフ内の擬似ノードを識別し、貼り合わせられる前記サブグラフ内の前記識別された擬似ノードを合併させることを含み、
前記方法は、
前記プロセッサによって、前記検査室自動化システムのための前記サイトネットワークの動作をシミュレートすることと、
前記検査室自動化システムの前記動作が受け入れ可能でない場合、前記プロセッサによって、前記検査室自動化システムを却下することと、
前記検査室自動化システムの前記動作が受け入れ可能である場合、前記プロセッサによって、前記検査室自動化設計システムを受け入れることと
を更に含む、コンピュータ装置。
【請求項９】
複数のシステムブロックは各々、遠心分離機、アリコータ、入力ユニット、出力ユニット、分析器、記憶ユニット、デキャッパ、及びリキャッパのうちの少なくとも１つを備える、請求項８に記載のコンピュータ装置。
【請求項１０】
前記エッジは、輸送経路に対応する、請求項８に記載のコンピュータ装置。
【請求項１１】
前記方法は、前記プロセッサによって、データベース内に、複数のシステムブロックに関連付けられた複数のサブグラフを記憶することを更に含む、請求項８に記載のコンピュータ装置。
【請求項１２】
前記検査室自動化システム設計データは、前記システムブロック及び前記サブグラフの選択と、前記システムブロック及び前記サブグラフの相互に対する配置とに関するデータを含む、請求項８に記載のコンピュータ装置。
【請求項１３】
前記検査室自動化システム設計データは、前記検査室自動化システムによって処理されている試料に対する所定のスループット及びターンアラウンドタイムに関するデータを含み、
任意に、前記検査室自動化設計システムデータは、前記検査室自動化システムを収容する物理的構造物に関するデータを含む、請求項１２に記載のコンピュータ装置。
【請求項１４】
前記方法は、前記プロセッサによって、前記受け入れられた検査室自動化システムのための部品リストを生成することを更に含む、請求項８に記載のコンピュータ装置。
【請求項１５】
前記サイトネットワークと前記システムブロックとを表示するグラフィカルユーザインターフェースを更に備える、請求項８に記載のコンピュータ装置。
【手続補正２】
【補正対象書類名】明細書
【補正対象項目名】００１４
【補正方法】変更
【補正の内容】
【００１４】
本発明のこれらの、及び他の実施形態が、以下に更に詳細に説明される。
本願明細書は、例えば、以下の項目も提供する。
（項目１）
方法であって、
プロセッサによって、検査室自動化システムのための検査室自動化システム設計データ
を受信することと、
前記プロセッサによって、かつ前記検査室自動化システム設計データを使用して、シス
テムブロックに関連付けられたサブグラフを貼り合わせて、前記検査室自動化システムの
ためのサイトネットワークを作成することと
を含み、
各サブグラフは、複数のサイトノード、エッジ、及び疑似ノードを備える、方法。
（項目２）
前記プロセッサによって、所定の検査室動作条件に従って前記検査室自動化システムの
ための前記サイトネットワークの動作をシミュレートすることを更に含む、項目１に記載の方法。
（項目３）
複数のシステムブロックは各々、遠心分離機、アリコータ、入力ユニット、出力ユニッ
ト、分析器、記憶ユニット、デキャッパ、及びリキャッパのうちの少なくとも１つを備え
る、項目１に記載の方法。
（項目４）
前記エッジは、輸送経路に対応する、項目１に記載の方法。
（項目５）
前記プロセッサによって、受信後かつ貼り合わせ前に、前記検査室自動化システム設計
データを含むマニフェストファイルを生成することを更に含む、項目１に記載の方法。
（項目６）
前記検査室自動化システム設計データは、前記システムブロック及び前記サブグラフの
選択と、前記システムブロック及び前記サブグラフの相互に対する配置とに関するデータ
を含む、項目１に記載の方法。
（項目７）
前記検査室自動化システム設計データは、前記検査室自動化システムによって処理され
ている試料に対する所定のスループット及びターンアラウンドタイムに関するデータを含
む、項目６に記載の方法。
（項目８）
前記検査室自動化設計システムデータは、前記検査室自動化システムを収容する物理的
構造物に関するデータを含む、項目７に記載の方法。
（項目９）
前記プロセッサによって、所定の検査室動作条件に従って前記検査室自動化システムの
ための前記サイトネットワークの動作をシミュレートすることと、
前記検査室自動化システムの前記動作が所定のパラメータを満たさない場合、前記プロ
セッサによって、前記検査室自動化システムを却下することと、
前記検査室自動化システムの前記動作が前記所定のパラメータを満たす場合、前記プロ
セッサによって、前記検査室自動化設計システムを受け入れることと
を更に含む、項目１に記載の方法。
（項目１０）
前記プロセッサによって、前記受け入れられた検査室自動化システムのための部品リス
トを生成することを更に含む、項目９に記載の方法。
（項目１１）
コンピュータ装置であって、
１つ以上のプロセッサと、
前記１つ以上のプロセッサに連結されたコンピュータ読み取り可能な媒体と
を備え、
前記コンピュータ読み取り可能な媒体は、前記１つ以上のプロセッサに方法を実装させ
るためのコードを含み、前記方法は、
検査室自動化システムのための検査室自動化システム設計データを受信することと、
前記検査室自動化システム設計データを使用して、システムブロックに関連付けられた
サブグラフを貼り合わせて、前記検査室自動化システムのためのサイトネットワークを作
成することと
を含み、
各サブグラフは、複数のサイトノード、エッジ、及び疑似ノードを備える、コンピュー
タ装置。
（項目１２）
前記方法は、所定の検査室動作条件に従って前記検査室自動化システムのための前記サ
イトネットワークの動作をシミュレートすることを更に含む、項目１１に記載のコンピュータ装置。
（項目１３）
複数のシステムブロックは各々、遠心分離機、アリコータ、入力ユニット、出力ユニッ
ト、分析器、記憶ユニット、デキャッパ、及びリキャッパのうちの少なくとも１つを備え
る、項目１１に記載のコンピュータ装置。
（項目１４）
前記エッジは、輸送経路に対応する、項目１１に記載のコンピュータ装置。
（項目１５）
前記方法は、前記プロセッサによって、データベース内に、複数のシステムブロックに
関連付けられた複数のサブグラフを記憶することを更に含む、項目１１に記載のコンピュータ装置。
（項目１６）
前記検査室自動化システム設計データは、前記システムブロック及び前記サブグラフの
選択と、前記システムブロック及び前記サブグラフの相互に対する配置とに関するデータ
を含む、項目１１に記載のコンピュータ装置。
（項目１７）
前記検査室自動化システム設計データは、前記検査室自動化システムによって処理され
ている試料に対する所定のスループット及びターンアラウンドタイムに関するデータを含
む、項目１６に記載のコンピュータ装置。
（項目１８）
前記検査室自動化設計システムデータは、前記検査室自動化システムを収容する物理的
構造物に関するデータを含む、項目１７に記載のコンピュータ装置。
（項目１９）
前記方法は、
所定の検査室動作条件に従って前記検査室自動化システムのための前記サイトネットワ
ークの動作をシミュレートすることと、
前記検査室自動化システムの前記動作が所定のパラメータを満たさない場合、前記検査
室自動化システムを却下することと、
前記検査室自動化システムの前記動作が前記所定のパラメータを満たす場合、前記検査
室自動化設計システムを受け入れることと
を更に含む、項目１１に記載のコンピュータ装置。
（項目２０）
前記方法は、前記プロセッサによって、前記受け入れられた検査室自動化システムのた
めの部品リストを生成することを更に含む、項目１９に記載のコンピュータ装置。